(57)【要約】      （修正有）【課題】ブレードの交換が容易な刈払機用の回転刃を提供する。【解決手段】ブレード刃8の入る間隔をおいて平行状態に一体化された上下二枚の回転盤からなり、その一方の回転盤の中心側に刈払機先端の駆動部を装着するための回転基盤部112を設けると共に同じくその外周寄りにはその全周に沿ってガイドピンを複数個等間隔に配設し、かつ前記上下二枚の回転盤の他方を可撓性プレートにより構成してこの他方の回転盤をその可撓性を利用して外側に曲げることにより前記ガイドピンとの間にできるすき間からブレード刃を前記ガイドピンに着脱するようにしたことを特徴とする刈払機用回転刃。【選択図】図２
0003102847.tif 000002
【実用新案登録請求の範囲】
【請求項１】
ブレード刃の入る間隔をおいて平行状態に一体化された上下二枚の回転盤からなり、その一方の回転盤の中心側に刈払機先端の駆動部を装着するための回転基盤部を設けると共に同じくその外周寄りにはその全周に沿ってガイドピンを複数個等間隔に配設し、かつ前記上下二枚の回転盤の他方を可撓性プレートにより構成してこの他方の回転盤をその可撓性を利用して外側に曲げることにより前記ガイドピンとの間にできるすき間からブレード刃を前記ガイドピンに着脱するようにしたことを特徴とする刈払機用回転刃。
【考案の詳細な説明】
【技術分野】
【０００１】
本考案は、ブレード刃を持つ刈払機用回転刃に関するものである。
【背景技術】
【０００２】
従来のこの種の刈払機用回転刃を図３〜図５に示す例えば特開平１１−２３５１１３号公報のものについて説明する。図３は回転刃を刈払機先端の駆動部に取り付ける手段を示す分解斜視図、図４は図３の回転刃を示す側面図、図５は図３の回転刃にブレード刃及びナイロンカッターコードを着脱する方法を示す図である。
【０００３】
この回転刃は、図３に示すように刈払機先端の駆動部（ギアケース）１にカッターホルダ２を介して左ネジボルト３により締め付けられて使用される。
かかる回転刃は、上部盤４と、下部盤５と、上部盤４及び下部盤５を空間６をおいて連結するガイドピン７と、空間６に入れるブレード刃８及びナイロンカッターコード９とから構成される。上部盤４及び下部盤５はいずれもほぼドーナツ盤形状を有し、上部盤４と下部盤５を上下に貫通する複数のガイドピン７によって連結されている。
【０００４】
このガイドピン７は、上部盤４と下部盤５の連結、ブレード刃８の取り付け、及びナイロンカッターコード９の突出長さの調整の役割を有する。さらには、ガイドピン７は、上部盤４及び下部盤５の均一な連結及び回転を保持し、ナイロンカッターコード９の安定した外方への突出を維持するため上部盤４と下部盤５の外周に沿って均等な位置で複数個（図面では３個）配置される。
【０００５】
さらに、このガイドピン７は、ブレード刃８及びナイロンカッターコード９を容易に交換できるように、上部盤４と下部盤５の連結及び解放を、図５に示すようにドライバー１０で容易に行えるネジ式となっている。
【特許文献１】特開平１１−２３５１１３号公報
【考案の開示】
【考案が解決しようとする課題】
【０００６】
本考案の解決しようとする問題は、前記したように従来のものはブレード刃８を交換するときに一々ドライバー１０でガイドピン７を外して上部盤４と下部盤５を分解しなければならず、その交換にドライバー１０などの工具を有するのみならず大変な手間が掛かるという点である。特にブレード刃の消耗が早い場合はこの作業は極めて煩雑である。
【課題を解決するための手段】
【０００７】
本考案は、ブレード刃の入る間隔をおいて平行状態に一体化された上下二枚の回転盤からなり、その一方の回転盤の中心側に刈払機先端の駆動部を装着するための回転基盤部を設けると共に同じくその外周寄りにはその全周に沿ってガイドピンを複数個等間隔に配設し、かつ前記上下二枚の回転盤の他方を可撓性プレートにより構成してこの他方の回転盤をその可撓性を利用して外側に曲げることにより前記ガイドピンとの間にできるすき間からブレード刃を前記ガイドピンに着脱するようにしたことを特徴とする。
【考案の効果】
【０００８】
本考案は、ドライバーなどの工具を使うことなく、単に他方の回転盤をその可撓性を利用して外側に曲げるだけで、そのすき間からブレード刃をガイドピンに着脱できるので、ブレード刃の交換が容易に行えるという効果がある。
【考案を実施するための最良の形態】
【０００９】
上下二枚の回転盤の他方を可撓性プレートにより構成することにより、刈払機用回転刃におけるブレード刃の着脱を実現した。
【実施例】
【００１０】
図１は本考案の一実施例を示すもので、回転刃を刈払機先端の駆動部に取り付ける手段を示す分解斜視図、図２は図１の回転刃の要部を示す縦断側面図で、図中前記した従来のものと同一又は相当部分には同一符号を付して説明を省略する。
【００１１】
図において、１１は上下二枚の回転盤の一方の回転盤で、中心側にドーナツ板１２により補強された回転基盤部１１ａを有すると共にその外周寄りにはその全周に沿ってガイドピン１３が複数個（図面では３個）等間隔に配設されている。１４は回転盤１１と間隔１５をおいて平行状態にある他方の回転盤で、ドーナツ状の可撓性プレートにより構成されると共に押え板１６を用いてビス１７によりドーナツ板１２に固定されている。
【００１２】
なお、回転盤１４の可撓性プレートとしては、公知の可撓性材料からなる板体であれば良いが、好ましくはポリカーボネート板、アクリル板、塩ビ板などが良い。
【００１３】
この回転刃は、図１に示すように刈払機先端の駆動部（ギアケース）１にカッターホルダ２を介して左ネジボルト３により締め付けられて使用されることは、従来のものと同じである。
【００１４】
ブレード刃８の交換は、図２に示すように回転盤１４をその可撓性を利用して外側（矢印の方向）に曲げることによりガイドピン１３の上端との間にできるすき間１８から、ブレード刃８を外したり又は入れたりすることにより、ドライバーなどの工具を使わずに容易に行える。
【００１５】
そして、回転盤１４が図２の実線状態（自然体）のときには、回転盤１４が矢印の方向に自然には開かないので、回転状態では勿論のこと、停止状態でも、たとえ上下が逆さになってもブレード刃８がガイドピン１３から抜け落ちることがない。
【００１６】
上記実施例において、回転基盤部１１ａ、ドーナツ板１２を有する回転盤１１の構造（形状）、これに回転盤１４を取り付ける手段（押え板１６、ビス１７による）については、図示のものに限らないことは勿論、公知のいかなる構造（形状）であっても良い。
【００１７】
また、穴８ａによりガイドピン１３に嵌め込まれるブレード刃８は、例えばプラスチック製であるが、その材料は勿論のこと、形状も図示のように穴８ａから片側に刃のある片側刃のものに限らず、穴８ａから両側に刃のある両側刃、穴８ａから三方四方に刃のある複数刃のものであっても良いは勿論である。
【００１８】
上記実施例では回転刃にブレード刃８を使用するものについて説明したが、このブレード刃８にナイロンカッターコードを併せて使用する従来のものと同じ方式の回転刃であっても、同等の効果が得られることは勿論である。
【産業上の利用可能性】
【００１９】
本考案は、ブレード刃をもつ刈払機用回転刃に広く活用できる。
【図面の簡単な説明】
【００２０】
【図１】本考案の一実施例を示すもので、回転刃を刈払機先端の駆動部に取り付ける手段を示す分解斜視図である。
【図２】図１の回転刃の要部を示す縦断側面図である。
【図３】従来の回転刃を刈払機先端の駆動部に取り付ける手段を示す分解斜視図である。
【図４】図３の回転刃を示す側面図である。
【図５】図３の回転刃にブレード刃及びナイロンカッターコードを着脱する方法を示す図である。
【符号の説明】
【００２１】
１：刈払機先端の駆動部
２：カッターホルダ
３：左ネジボルト
４：上部盤
５：下部盤
６：空間
７：ガイドピン
８：ブレード刃
９：ナイロンカッターコード
１０：ドライバー
１１：一方の回転盤
１１ａ：回転基盤部
１２：ドーナツ板
１３：ガイドピン
１４：他方の回転盤
１５：間隔
１６：押え板
１７：ビス
１８：すき間
【図１】
0003102847.tif 000003
【図２】
0003102847.tif 000004
【図３】
0003102847.tif 000005
【図４】
0003102847.tif 000006
【図５】
0003102847.tif 000007